(57)【要約】【課題】手帳型の携帯端末ケースにおいて、ケース自体にカメラ用の貫通孔などを形成することなく、簡便にカメラを使用することを可能とすることである。【解決手段】携帯端末ケース１０は、第１平板面部１２と第２平板面部１４とが開閉可能に連結される手帳型の携帯端末ケースであって、第１平板面部１２の内側面１２ａに接触可能に設けられる接触面１６ａと携帯端末８が貼着される貼着面１６ｂとを有する貼着部１６を備え、貼着部１６は、第１平板面部１２の端辺１２ｃに固定される一方側の端辺１６ｃを回動軸として第１平板面部１２の内側面１２ａから離間して第１平板面部１２から露出するように回動可能に設けられている。【選択図】図１
2018015173.tif 000002
【特許請求の範囲】
【請求項１】
第１平板面部と第２平板面部とが開閉可能に連結される手帳型の携帯端末ケースであって、
前記第１平板面部の内側面に接触可能に設けられる接触面と携帯端末が貼着される貼着面とを有する貼着部を備え、
前記貼着部は、前記第１平板面部の端辺に固定される一方側の端辺を回動軸として前記第１平板面部の内側面から離間して前記第１平板面部から露出するように回動可能に設けられていることを特徴とする携帯端末ケース。
【請求項２】
請求項１に記載の携帯端末ケースにおいて、
前記貼着部は、前記一方側の端辺と平行な折曲部を有し、
前記貼着面のうち前記折曲部によって二分割された領域において他方側の端辺を含む領域に貼着部材が配置されていることを特徴とする携帯端末ケース。
【請求項３】
請求項２に記載の携帯端末ケースにおいて、
前記貼着部は、前記貼着部材が配置される領域の内部に設けられる貼着部側磁石を有し、
前記第１平板面部の内部には、前記貼着部側磁石を吸着するように設けられる第１平板面部側磁石を有することを特徴とする携帯端末ケース。
【請求項４】
請求項３に記載の携帯端末ケースにおいて、
前記第２平板面部の内部には、第２平板面部側磁石を有し、
一方端が前記第１平板面部の前記一方側の端辺に固定され他方端の内部に前記第２平板面部側磁石に吸着するための開き止め用磁石を有する帯状の開き止め部をさらに備え、
前記第１平板面部側磁石は、前記開き止め部の他方端が前記第１平板面部の外側面に位置したときに前記開き止め用磁石を吸着することを特徴とする携帯端末ケース。
【発明の詳細な説明】
【技術分野】
【０００１】
本発明は、携帯端末ケースに関する。
【背景技術】
【０００２】
従来、スマートフォンなどの携帯端末を収納する器具が開発されている。例えば、特許文献１には、スマートフォンの裏面を覆う本体と、スマートフォンの表面を覆い、本体に対して回動可能に結合された蓋部と、蓋部を裏面から表面に向けて付勢して、少なくとも０．５秒以内に、蓋部を表面からの角度３６０度から１８０度まで回動する付勢部材と、を備えるスマートフォン用ケースが開示されている。
【先行技術文献】
【特許文献】
【０００３】
【特許文献１】特開２０１６−１１９５７３号公報
【発明の概要】
【発明が解決しようとする課題】
【０００４】
上記特許文献１の構成は、使用中にスマートフォンを落としてもタッチパネルを保護することができるが、カメラを使用する際にはケースからスマートフォンを取り外して使用する必要があり不便である。また、ケース自体にカメラ用の貫通孔を形成した場合は美観上好ましいものではない。
【０００５】
本発明の目的は、ケース自体にカメラ用の貫通孔などを形成することなく、簡便にカメラを使用することを可能とする手帳型の携帯端末ケースを提供することである。
【課題を解決するための手段】
【０００６】
本発明に係る携帯端末ケースは、第１平板面部と第２平板面部とが開閉可能に連結される手帳型の携帯端末ケースであって、前記第１平板面部の内側面に接触可能に設けられる接触面と携帯端末が貼着される貼着面とを有する貼着部を備え、前記貼着部は、前記第１平板面部の端辺に固定される一方側の端辺を回動軸として前記第１平板面部の内側面から離間して前記第１平板面部から露出するように回動可能に設けられていることを特徴とする。
【０００７】
また、本発明に係る携帯端末ケースにおいて、前記貼着部は、前記一方側の端辺と平行な折曲部を有し、前記貼着面のうち前記折曲部によって二分割された領域において他方側の端辺を含む領域に貼着部材が配置されていることが好ましい。
【０００８】
また、本発明に係る携帯端末ケースにおいて、前記貼着部は、前記貼着部材が配置される領域の内部に設けられる貼着部側磁石を有し、前記第１平板面部の内部には、前記貼着部側磁石を吸着するように設けられる第１平板面部側磁石を有することが好ましい。
【０００９】
また、本発明に係る携帯端末ケースにおいて、前記第２平板面部の内部には、第２平板面部側磁石を有し、一方端が前記第１平板面部の前記一方側の端辺に固定され他方端の内部に前記第２平板面部側磁石に吸着するための開き止め用磁石を有する帯状の開き止め部をさらに備え、前記第１平板面部側磁石は、前記開き止め部の他方端が前記第１平板面部の外側面に位置したときに前記開き止め用磁石を吸着することが好ましい。
【発明の効果】
【００１０】
本発明によれば、携帯端末が貼着される貼着部が第１平板面部の内側面から離間して第１平板面部から露出するように回動可能に設けられている。これにより、ケース自体にカメラ用の貫通孔などを形成することなく、簡便にカメラを使用することができる。
【図面の簡単な説明】
【００１１】
【図１】本発明に係る実施形態の携帯端末ケースを閉じている様子を示す図である。
【図２】本発明に係る実施形態の携帯端末ケースを開いている様子を示す図である。
【図３】本発明に係る実施形態の携帯端末ケースを開き、さらに貼着部を開いた状態を示す図である。
【図４】本発明に係る実施形態において、携帯端末を貼着して携帯端末ケースを閉じようとしている様子を示す図である。
【図５】本発明に係る実施形態の携帯端末ケースを開き、カメラ撮影を行うために貼着部を露出させている様子を示す図である。
【図６】本発明に係る実施形態の携帯端末ケースにおいて、貼着部を活用して携帯端末を起立させている様子を示す図である。
【発明を実施するための形態】
【００１２】
以下に、本発明に係る実施の形態について添付図面を参照しながら詳細に説明する。以下では、全ての図面において同様の要素には同一の符号を付し、重複する説明を省略する。また、本文中の説明においては、必要に応じそれ以前に述べた符号を用いるものとする。
【００１３】
図１は、携帯端末ケース１０を閉じている様子を示す図である。図２は、携帯端末ケース１０を開いている様子を示す図である。図３は、携帯端末ケース１０を開き、さらに貼着部１６を開いた状態を示す図である。図４は、携帯端末８を貼着して携帯端末ケース１０を閉じようとしている様子を示す図である。図５は、携帯端末ケース１０を開き、カメラ撮影を行うために貼着部１６を露出させている様子を示す図である。図６は、携帯端末ケース１０において、貼着部１６を活用して携帯端末８を起立させている様子を示す図である。
【００１４】
携帯端末ケース１０は、第１平板面部１２と第２平板面部１４とが開閉可能に連結される手帳型のケースである。図２，３では、右側に位置するのが第１平板面部１２であり、左側に位置するのが第２平板面部１４である。
【００１５】
第１平板面部１２は、適度な強度を有する布部材や皮部材等で構成される平板形状を有している。第１平板面部１２の大きさは、携帯端末の大きさに応じて適宜設定されており、例えば、縦の長さ(図２，３における上下方向の長さ)が１３．５ｃｍで、横の長さ（図２，３における左右方向の長さ）が７．５ｃｍで、厚みを３ｍｍに設定することができる。
【００１６】
第１平板面部１２の内側面１２ａには、貼着部１６が設けられている。貼着部１６は、第１平板面部１２の内側面１２ａに接触可能に設けられる接触面１６ａと、携帯端末８が貼着される貼着面１６ｂとを備えている。貼着部１６は、適度な強度を有する布部材や皮部材等で構成される平板形状を有している。
【００１７】
貼着部１６は、第１平板面部１２よりも小さい平板面積に設定されており、例えば、縦の長さ(図２，３における上下方向の長さ)が７．５ｃｍで、横の長さ（図２，３における左右方向の長さ）が５．５ｃｍで、厚みを３ｍｍに設定することができる。貼着部１６の上部には、所定の大きさの切欠き部１７が形成されている。
【００１８】
貼着部１６は、切欠き部１７が第１平板面部１２の略中央部に位置するように、第１平板面部１２の下部側に寄せて取り付けられている。貼着部１６は、第１平板面部１２の端辺１２ｃに固定される一方側の端辺１６ｃを回動軸として第１平板面部１２の内側面１２ａから離間して第１平板面部１２から露出するように回動可能に設けられている。貼着部１６の一方側の端辺１６ｃは、第１平板面部１２の端辺１２ｃに対し、糸等を縫い付けることで固定してもよく、接着部材を用いて固定してもよい。
【００１９】
具体的には、図２に示されるように貼着部１６の接触面１６ａが第１平板面部１２の内側面１２ａに接触した状態から貼着部１６が回動軸を軸として１８０°回動し、図３に示されるように第１平板面部１２から完全に露出した状態にすることができる。
【００２０】
貼着部１６は、一方側の端辺１６ｃと平行な折曲部１８を有し、貼着面１６ｂのうち折曲部１８によって二分割された領域において他方側の端辺１６ｄを含む領域２０に貼着部材２２が配置されていることが好ましい。
【００２１】
貼着部材２２は、携帯端末８を着脱可能に装着することが可能な粘着性シートを用いて構成されている。貼着部材２２は、適度な接着力を有する部材、例えば、ゲルシートを用いてもよく、アクリル系の粘着剤を含む皮膚貼付用両面テープを用いてもよい。携帯端末８の裏面を貼着部材２２の表面に貼り付けることにより、携帯端末８が位置ずれすることなく固定されるようになる。
【００２２】
貼着部１６は、貼着部材２２が配置される領域２０の内部に設けられる平板上の貼着部側磁石２４を有する。貼着部１６は、貼着部材２２が配置されない領域１９の内部に適度な強度を有する非磁性の平板部材を有する。この非磁性の平板部材と貼着部側磁石２４の間には所定の隙間が設けられ、これにより折曲部１８が形成される。この折曲部１８を利用して、貼着部材２２が配置される領域２０を第１平板面部１２の内側面１２ａ側に折り曲げたり、反対側に折り曲げたりすることができる。
【００２３】
第１平板面部１２の内部には、貼着部側磁石２４を吸着するように設けられる第１平板面部側磁石２６を有する。また、第１平板面部側磁石２６は、開き止め部３０の他方端が第１平板面部１２の外側面１２ｂに位置したときに開き止め用磁石３２を吸着する。第１平板面部側磁石２６は、貼着部側磁石２４及び開き止め用磁石３２を吸着するように適度な面積を有する一枚の平板部材として説明するが、２つに分離して貼着部側磁石２４と開き止め用磁石３２とをそれぞれ吸着するような位置に配置してもよい。
【００２４】
第２平板面部１４は、適度な強度を有する布部材や皮部材等で構成される平板形状を有している。第２平板面部１４の大きさは、携帯端末８の大きさに応じて適宜設定されており、例えば、縦の長さ(図２，３における上下方向の長さ)が１３．５ｃｍで、横の長さ(図２，３における左右方向の長さ)が７．５ｃｍで、厚みを３ｍｍに設定することができる。第２平板面部１４の内部には、平板形状の第２平板面部側磁石２８を有している。
【００２５】
第２平板面部１４の内側面１４ａには、紙幣等を収納するための収納ポケット部４０が取り付けられている。収納ポケット部４０は、第２平板面部１４の上部から下部にわたって取り付けられ、紙幣等は第１平板面部１２側から挿入可能に設けられている。収納ポケット部４０には、上部において、カード等を挿入するための開口部４４が設けられている。また、収納ポケット部４０には、中央部において、カードなどを収納するためのポケット４２がさらに設けられている。
【００２６】
開き止め部３０は、一方端が第１平板面部１２の一方側の端辺１２ｃに固定され、他方端の内部に第２平板面部側磁石２８に吸着するための開き止め用磁石３２を有する帯状部材である。開き止め部３０は、適度な強度を有する布部材や皮部材等で構成される平板形状を有している。
【００２７】
開き止め部３０の大きさは、例えば、縦の長さ(図２，３における上下方向の長さ)が２．５ｃｍで、横の長さ(図２，３における左右方向の長さ)が５ｃｍで、厚みを３ｍｍに設定することができる。開き止め部３０の一方端は、第１平板面部１２の端辺１２ｃに対し、糸等を縫い付けることで固定してもよく、接着部材を用いて固定してもよい。
【００２８】
続いて、上記構成の携帯端末ケース１０の作用について説明する。携帯端末８の裏面を貼着部材２２の表面に貼着し、図４に示されるように携帯端末ケース１０を閉じ、さらに、開き止め部３０の開き止め用磁石３２を第２平板面部１４の外側面１４ｂに位置させて、第２平板面部側磁石２８に吸着させることで携帯端末ケース１０が勝手に開いてしまうことを抑制することができる。また、この際、貼着部１６の貼着部側磁石２４を第１平板面部側磁石２６に吸着させることができるため、携帯端末８の重みなどで貼着部１６が誤って回動してしまうことを防止することができる。
【００２９】
一般的に、携帯端末８にはカメラ機能が設けられているが、カメラレンズの位置は携帯端末８の裏面の上部に位置することが多く、携帯端末８の裏面が図４に示されるように第１の平板面部１２の内側面１２ａに覆われた状態では撮影対象物を撮影することができない。
【００３０】
しかしながら、携帯端末ケース１０では、貼着部１６を回動させて、図５に示されるように折曲部１８で折り曲げることで携帯端末８の向きを変えることなく、携帯端末８を露出させることができる。これにより、携帯端末８のカメラで撮影対象物を撮影することができる。また、携帯端末８の種類によっては、カメラレンズの位置が裏面の中央部付近に設けられていることもあるが、携帯端末ケース１０によれば、貼着部１６に切欠き部１７が形成されており、切欠き部１７によってカメラレンズが露出した状態となるため、撮影対象物を撮影することができる。
【００３１】
また、図６に示されるように、折曲部１８を頂点として貼着部１６をピラミッド形状で中空の三角にすることで、適度な傾斜を持たせつつ携帯端末８を起立させることができる。これにより、例えば、机の上に携帯端末８を起立させた状態で、椅子に座りながら、携帯端末８を用いて動画を楽しむことができるという利点がある。
【００３２】
さらに、携帯端末ケース１０の開き止め部３０は、第１の平板面部１２の外側面１２ｂで第１平板面部側磁石２６に吸着することができるため、携帯端末ケース１０を開く際に開き止め部３０の開き止め用磁石３２から外した際にも開き止め部３０が重力に従って回動して邪魔になるような課題を解消することができるメリットがある。
【符号の説明】
【００３３】
８  携帯端末、１０  携帯端末ケース、１２  第１の平板面部、１２ａ  第１の平板面部の内側面、１２ｂ  第１の平板面部の外側面、１２ｃ  端辺、１４  第２の平板面部、１４ａ  第２の平板面部の内側面、１４ｂ  第２の平板面部の外側面、１６  貼着部、１６ａ  接触面、１６ｂ  貼着面、１６ｃ  端辺、１６ｄ  端辺、１７  切欠き部、１８  折曲部、１９  領域、２０  領域、２２  貼着部材、２４  貼着部側磁石、２６  第１平板面部側磁石、２８  第２平板面部側磁石、３０  開き止め部、３２  開き止め用磁石、４０  収納ポケット部、４２  ポケット、４４  開口部。
【図１】
2018015173.tif 000003
【図２】
2018015173.tif 000004
【図３】
2018015173.tif 000005
【図４】
2018015173.tif 000006
【図５】
2018015173.tif 000007
【図６】
2018015173.tif 000008
【手続補正書】
【提出日】平成29年2月16日(2017.2.16)
【手続補正１】
【補正対象書類名】特許請求の範囲
【補正対象項目名】全文
【補正方法】変更
【補正の内容】
【特許請求の範囲】
【請求項１】
第１平板面部と第２平板面部とが開閉可能に連結される手帳型の携帯端末ケースであって、
前記第１平板面部の内側面に接触可能に設けられる接触面と、前記接触面とは反対側の面であり携帯端末が貼着される貼着面とを有し、前記第１平板面部とは独立した部材として設けられた平板状の貼着部を備え、
前記貼着部は、前記第１平板面部の端辺に固定される一方側の端辺と平行な折曲部を有し、
前記貼着面のうち前記折曲部によって二分割された領域において他方側の端辺を含む領域に貼着部材が配置されており、
前記一方側の端辺を回動軸として前記第１平板面部の内側面から離間して前記第１平板面部から露出するように回動可能に設けられていることを特徴とする携帯端末ケース。
【請求項２】
請求項１に記載の携帯端末ケースにおいて、
前記貼着部は、前記第１平板面部よりも小さく前記第１平板面部の略半分の平板面積を有しており、
前記貼着部の下部が前記第１平板面部の下部の近傍に設けられており、前記貼着部の下部の反対側の上部に切欠き部が形成されていることを特徴とする携帯端末ケース。
【請求項３】
請求項１または請求項２に記載の携帯端末ケースにおいて、
前記貼着部は、前記貼着部材が配置される領域の内部に設けられる貼着部側磁石を有し、
前記第１平板面部の内部には、前記貼着部側磁石を吸着するように設けられる第１平板面部側磁石を有することを特徴とする携帯端末ケース。
【請求項４】
請求項３に記載の携帯端末ケースにおいて、
前記第２平板面部の内部には、第２平板面部側磁石を有し、
一方端が前記第１平板面部の前記一方側の端辺に固定され他方端の内部に前記第２平板面部側磁石に吸着するための開き止め用磁石を有する帯状の開き止め部をさらに備え、
前記第２平板面部側磁石は、前記開き止め部の他方端が前記第２平板面部の外側面に位置したときに前記開き止め用磁石を吸着することを特徴とする携帯端末ケース。
【手続補正２】
【補正対象書類名】明細書
【補正対象項目名】０００６
【補正方法】変更
【補正の内容】
【０００６】
本発明に係る携帯端末ケースは、第１平板面部と第２平板面部とが開閉可能に連結される手帳型の携帯端末ケースであって、前記第１平板面部の内側面に接触可能に設けられる接触面と、前記接触面とは反対側の面であり携帯端末が貼着される貼着面とを有し、前記第１平板面部とは独立した部材として設けられた平板状の貼着部を備え、前記貼着部は、前記第１平板面部の端辺に固定される一方側の端辺と平行な折曲部を有し、前記貼着面のうち前記折曲部によって二分割された領域において他方側の端辺を含む領域に貼着部材が配置されており、前記一方側の端辺を回動軸として前記第１平板面部の内側面から離間して前記第１平板面部から露出するように回動可能に設けられていることを特徴とする。
【手続補正３】
【補正対象書類名】明細書
【補正対象項目名】０００７
【補正方法】変更
【補正の内容】
【０００７】
また、本発明に係る携帯端末ケースにおいて、前記貼着部は、前記第１平板面部よりも小さく前記第１平板面部の略半分の平板面積を有しており、前記貼着部の下部が前記第１平板面部の下部の近傍に設けられており、前記貼着部の下部の反対側の上部に切欠き部が形成されていることが好ましい。
【手続補正４】
【補正対象書類名】明細書
【補正対象項目名】０００９
【補正方法】変更
【補正の内容】
【０００９】
また、本発明に係る携帯端末ケースにおいて、前記第２平板面部の内部には、第２平板面部側磁石を有し、一方端が前記第１平板面部の前記一方側の端辺に固定され他方端の内部に前記第２平板面部側磁石に吸着するための開き止め用磁石を有する帯状の開き止め部をさらに備え、前記第２平板面部側磁石は、前記開き止め部の他方端が前記第２平板面部の外側面に位置したときに前記開き止め用磁石を吸着することが好ましい。